(57)【要約】      （修正有）【課題】就航後の船舶に、バラスト水処理設備等を新たに追加設置する場合、主配電盤および集合始動器盤２面を新替することなく、またケーブル導入および結線の復旧工事を要しない、バラスト水処理設備等への給電方法を提供する。【解決手段】主配電盤ＭＳＢの背面または最寄りの場所に、新たに給電盤を追加設置し、主配電盤の発電機用母線と新設給電盤間を母線ダクトまたはケーブルで接続し、新設給電盤から新設備および電動機等の関連装置へ給電する様にする。尚、新設備および電動機等の関連装置用の配線用遮断器が主配電盤に設置できる場合には、これ等用に給電するための専用母線を主配電盤に追加設置し、発電機用母線と新設専用母線間を母線で接続し、新設専用母線から新設備および電動機等の関連装置へ給電する様にする。【選択図】図２
2012126374.tif 000002
【特許請求の範囲】
【請求項１】
就航後の船舶に、バラスト水処理装置等の新設備が追加設置され、この装置に関連する既設の２〜４台電動機の各容量１００〜４００ＫＷが１．３〜２．０倍に大きくなる場合、また、新たに電動機が追設される場合、従来は、これ等の電動機および電気設備への電力は主配電盤の既設の第１母線および第２母線から給電している、そのために、第１母線および第２母線が定格の電流容量を超えるため、両母線を新替する必要が生じる、また、短絡電流１０，０００〜５０，０００Ａが１．３〜１．６倍に増加するため、主配電盤および主配電盤の両側に配列している集合始動器盤２面に装備している配線用遮断器６０〜１００ケは増加する短絡電流を満足する型式に変更する必要が生じ、配線用遮断器は外形寸法が大きい物に新替しなければならなくなる、その結果、主配電盤および集合始動器盤２面は外形寸法が大きくなるために新替しなければならなくなり、新替工事並びに１００〜２００本のケーブル導入および５００〜１５００芯の結線の復旧工事が発生する、そこで、この給電方法の代わりに、主配電盤の背面または最寄りの場所に新たに「新設給電盤」を追加設置し、主配電盤の発電機用母線から電力供給ができる様に、発電機用母線と新設給電盤間を母線ダクト又はケーブルで接続し、新設給電盤から新設備および関連の電動機へ電力を供給する様にする、そのことにより、主配電盤および集合始動器盤２面の既設の第１母線および第２母線には電流が増えないため既存品が使用でき、また、短絡電流増加により主配電盤および集合始動器盤２面の配線用遮断器の外形寸法が大きくなるが、新設備関連の電動機用の配線用遮断器２〜４ケを主配電盤から新設給電盤へ移設することにより、主配電盤にスペースが確保できる、また、集合始動器盤は各始動器でそのスペースを吸収できるため、主配電盤および集合始動器盤２面は配線用遮断器６０〜１００ケおよび付属部品を取替えることにより既存品が使用できる様になり、主配電盤の新替工事が無くなり、また、ケーブル導入および結線の復旧工事も無くなるので、新設備の設置に伴う電気工事を最小限に留めることができる様にする就航船に追加設置するバラスト水処理設備等への給電方法。
【請求項２】
主配電盤に新設備用の配線用遮断器を取付けるスペースがあり、また、短絡電流増加に伴い外形寸法が大きくなる配線用遮断器を取付けるスペースが確保できる場合には、請求項１記載の「新設給電盤」の新規追加設置の代わりに、主配電盤にこれ等用の配線用遮断器を設置すると共に、主配電盤に新設備に給電する専用の第３母線を追加設置する、新設備および関連の電動機用の配線遮断器を第３母線に接続し、第３母線を発電機用母線に接続する、そのことにより、既設の第１母線および第２母線には新設備による追加電流が流れないので両母線はそのまま使用できるため、主配電盤および集合始動器盤２面は既存品が使用できる様になり、請求項１記載の様に電気工事を最小限に留めることができる様にする就航船に追加設置するバラスト水処理設備等への給電方法。
【発明の詳細な説明】
【技術分野】
【０００１】  本発明は「船舶電気」に関するものである。
さらに詳しくは「就航船に追加設置するバラスト水処理設備等への給電方法」に関するものである。
【背景技術】
【０００２】  就航船の電気配線系統に於いて、船内の電気設備への電力は主配電盤から給電している。【０００３】  就航後の船舶に、バラスト水処理設備を新たに装備する場合、船内に既設の２〜４台のバラストポンプ用電動機（以降バラストポンプと称す）は各電動機の容量１００〜４００ＫＷが１．３〜２．０倍に大きくなる【０００４】  バラスト水処理設備を装備する以前では、バラストポンプを運転する時には、既設の主発電機３台のうち２台を運転しているが、バラスト水処理設備の装備後では消費電力が［０００３］に記載の様に増加するために、主発電機は３台運転しなければならなくなる。【０００５】  主発電機の運転台数が２台から３台になるため、次の問題事項が発生する
１）  主配電盤および主配電盤の両側に配列の集合始動器盤２面に設置している第１母線および第２母線に流れる電流１，０００Ａ〜３，０００Ａが１．２〜１．７倍に大きくなるため、母線のサイズも１．２〜１．７倍に大きくなる。  故に、主配電盤および集合始動器盤２面に既設の第１母線および第２母線は１．２〜１．７倍に大きくした新母線に取替えなければならなくなる。
２）  母線に流れる短絡電流１０，０００〜５０，０００Ａが１．３〜１．６倍に大きくなるため、主配電盤および集合始動器盤２面に装備している配線用遮断器６０〜１００ケは増加する短絡電流を満足する型式（注１）に変更する必要が生じ、配線用遮断器は外形寸法が大きいものに取替えなければならなくなる。
３）  上記１）項および２）項のために、主配電盤（寸法：横幅３．０ｍｘ奥行０．９ｍｘ高さ２．２ｍ）および集合始動器盤（寸法：横幅２．５ｍｘ奥行０．７５ｍｘ高さ２．２ｍ）２面は新替しなければならなくなる。
４）  上記１）項および２）項のために、主配電盤の横幅寸法が０．４〜０．６ｍ大きくなる、また、主配線盤が大きくなるので、主配電盤の両側に配列している集合始動器盤２面の取付位置を各０．２〜０．３ｍずらさなければならなくなるため、次項の工事が発生することになる。
（１）  主配電盤および集合始動器盤２面の据付台は甲板に溶接で取付けているが、据付台を新たに再製作の上、全面やり替えとなる。
（２）  主配電盤および集合始動器盤２面を新替するため、主配電盤および集合始動器盤２面への１００〜２００本のケーブル導入および５００〜１，５００芯の結線を全面やり替えなければならなくなる。
（注１）遮断器は短絡電流値の大きさにより、次の型式となる。（寺崎電気製を示す）
遮断器の型式     短絡電流値       外形寸法（単位：ｍｍ）    
▲１▼ＸＳ−１００  ：    ２２０００Ａ    （Ｗ  ９０ｘＨ１５５ｘＤ  ６８）
▲２▼ＸＨ−１００  ：    ４２０００Ａ    （Ｗ  ９０ｘＨ１５５ｘＤ  ８６）
▲３▼ＴＬ−１００  ：  １２００００Ａ    （Ｗ１１０ｘＨ２３０ｘＤ１３３）
【発明の概要】
【発明が解決しようとする課題】
【０００６】  就航後の船舶に、バラスト水処理装置の電気設備を新たに追加装備する場合、従来の給電方法では、主配電盤および集合始動器盤２面が新替となる。そのために、盤３面の新替工事並びにケーブル導入および結線の復旧工事が発生する。そこで、本発明では主配電盤および集合始動器盤２面は配線用遮断器および付属部品を取替えるのみで既存品が使用できる様にすることと、盤３面の新替工事および復旧工事を施行しなくて済む様にすることを目的とする。
【課題を解決するための手段】
【請求項１】
【０００７】  主配電盤の背面または最寄りの場所に新たに「新設給電盤」を追加設置し、主配電盤の発電機用母線から電力供給ができる様に、発電機用母線と新設給電盤間を母線ダクト又はケーブルで接続し、新設給電盤から新設備および関連の電動機へ電力を供給する様にする。そのことにより、主配電盤および集合始動器盤２面の既設の第１母線および第２母線には新設備による追加電流が流れないため既存の両母線がそのまま使用できる、また、短絡電流増加により主配電盤および集合始動器盤の配線用遮断器の外形寸法が大きくなるが、新設備関連の電動機用の配線用遮断器２〜４ケを主配電盤から新設給電盤へ移設することにより、主配電盤にスペースを確保でき、また、集合始動器盤は各始動器でそのスペースを吸収できるため、主配電盤および集合始動器盤２面は配線用遮断器６０〜１００ケおよび付属部品を取替えるのみで既存品が使用できる様になる。また、主配電盤および集合始動器盤２面は新替せずに済むので、ケーブル導入および結線の復旧工事を施行しなくて済む様になる。
尚、新設給電盤へ至る母線ダクトは発電機用母線に接続するが、その母線ダクトは既設の発電機用母線とＮＯ．２  ＧＥＮＥＲＡＴＯＲへ至る母線の接続場所に接続する。
また、その接続場所に接続できない場合には、その接続場所の直近に接続する。
この方法は、新設装置および容量（ＫＷ）が大きくなったバラストポンプ（ＢＡＬＬＡＳＴ  Ｗ  ＰＵＭＰ）用電動機等による増加電流が既設母線へ流れない様にし、既設母線がそのまま使用できる様にするための処置である。
【請求項２】
【０００８】  主配電盤に新設備用の配線用遮断器を取付けるスペースがあり、また、短絡電流増加に伴い外形寸法が大きくなる配線用遮断器を取付けるスペースが確保できる場合には請求項１記載の「新設給電盤」の新規追加設置の代わりに、主配電盤にこれ等用の配線用遮断器を設置すると共に、主配電盤に新設備に給電する専用の第３母線を追加設置し、発電機用母線に接続することにより、主配電盤および集合始動器盤２面の既設の第１母線および第２母線には新設備による追加電流が流れないので両母線はそのまま使用できる。
尚、第３母線は［０００７］に記載と同様に、発電機用母線とＮＯ．２  ＧＥＮＥＲＡＴＯＲへ至る母線の接続場所またはその直近に接続する。
【発明の効果】
【０００９】  本発明は次の様な効果を奏する。
新たに新設給電盤を追加設置する方法又は新設備への給電用に専用母線を主配電盤に追加設置する方法により、主配電盤および集合始動器盤２面は配線用遮断器および付属部品を取替えるのみで既存品が使用できる様にすることができ、また、盤３面の新替工事および復旧工事を施行しなくて済むために、電気工事を最小限に留めることができる。
【図面の簡単な説明】
【００１０】
【図１】  従来（新設備追加前）の電気給電系統図  従来、バラストポンプ用電動機（ＢＡＬＬＡＳＴ  Ｗ  ＰＵＭＰ）２〜４台の電源は、配線用遮断器（ＭＣＢ）を介して、主配電盤（ＭＳＢ）内のＮＯ．１母線（ＮＯ．１ＢＵＳ）およびＮＯ．２母線（ＮＯ．２  ＢＵＳ）から給電している。
【図２】  新設備追加後の電気給電系統図  新設給電盤（ＮＥＷ  ＦＥＥＤＥＲ  ＰＡＮＥＬ）を新規に設置し、発電機用母線（ＧＥＮ  ＢＵＳ）に母線ダクト（ＢＵＳ  ＤＵＣＴ）で接続している。  新設給電盤から次の装置へ給電している。  （１）  就航船に追加装備する新設備「バラスト水処理装置」関連の電気設備  （２）  バラストポンプ用電動機（ＢＡＬＬＡＳＴ  Ｗ  ＰＵＭＰ）  （この電動機（２〜４台）は、［図１］では、主配電盤から給電しているが、これを新設給電盤へ移設している）
【図３】  新設備追加後の電気給電系統図  ［図２］では、主配電盤と新設給電盤間を母線ダクトで接続しているものを示しているが、本図では、母線ダクトの代わりにケーブル（ＣＡＢＬＥ）で接続する方法を示している。  その他は［図２］と同様である。
【図４】  新設備追加後の電気給電系統図  本図では、既設のバラストポンプ用電動機（ＢＡＬＬＡＳＴ  Ｗ  ＰＵＭＰ）の配線用遮断器（ＭＣＢ）の取付スペースに、サイズアップする配線用遮断器が設置できるスペースがある場合を示している。主配電盤内に専用母線（ＮＥＷ  ＢＵＳ、第３母線）を新規に追加設置し、発電機用母線と専用母線間を母線で接続している。  専用母線から次の装置へ給電している。  （１）  就航船に追加装備する新設備「バラスト水処理装置」関連の電気設備  （２）  バラストポンプ用電動機（ＢＡＬＬＡＳＴ  Ｗ  ＰＵＭＰ）  （この電動機（２〜４台）は、［図１］では、既設母線から給電しているが、これを専用母線へ移設している）
【図５】  新設備追加後の電気給電系統図  本図では、既設のバラストポンプ用電動機（ＢＡＬＬＡＳＴ  Ｗ  ＰＵＭＰ）の配線用遮断器（ＭＣＢ）の取付スペースに、サイズアップする配線用遮断器が設置できるスペースが無く、発電機盤など主配電盤の他の場所に設置スペースがある場合のものを示している。  専用母線から次の装置へ給電している。  （１）  ［図４］の（１）と同様である。  （２）  ［図４］の（２）と同様である。
【図６】  シンボルリスト  本リストでは、各図面に使用しているシンボルおよび英文名称を和文名称で示している。
【発明を実施するための最良の形態】
【請求項１】
【００１１】  新設給電盤（ＮＥＷ  ＦＥＥＤＥＲ  ＰＡＮＥＬ）は主配電盤（ＭＳＢ）の背面で、発電機用母線（ＧＥＮ  ＢＵＳ）から最短距離となる場所に設置する。尚、主配電盤の構造上、最短距離に設置できない場合には、その最寄りの場所に設置する。
この方法は、新設給電盤と発電機用母線間を接続する新設母線の長さを最短にするための処置である。
【００１２】  新設給電盤へ至る新設母線は発電機用母線に接続するが、その新設母線は既設の発電機用母線とＮＯ．２  ＧＥＮＥＲＡＴＯＲへ至る母線の接続場所に接続する。
尚、その接続場所に接続できない場合には、その接続場所の直近に接続する。
この方法は、新設装置および容量（ＫＷ）が大きくなったバラストポンプ（ＢＡＬＬＡＳＴ  Ｗ  ＰＵＭＰ）用電動機等による増加電流が既設母線へ流れない様にし、既設母線がそのまま使用できる様にするための処置である。
【００１３】新設給電盤から新設装置およびバラストポンプ等へケーブル（ＣＡＢＬＥ）を敷設する。
【請求項２】
【００１４】  主配電盤（ＭＳＢ）内に専用母線（ＮＥＷ  ＢＵＳ）を新たに設置する。その専用母線は既設の発電機用母線とＮＯ．２  ＧＥＮＥＲＡＴＯＲへ至る母線の接続場所に接続する。
尚、その接続場所に接続できない場合には、その接続場所の直近に接続する。
この方法は、新設装置および容量（ＫＷ）が大きくなったバラストポンプ用電動機等による増加電流が既設母線へ流れない様にして、既設母線がそのまま使用できる様にするための処置である。
【００１５】  バラストポンプの配線用遮断器は、既設場所にスペースが有ればその場所に、無ければ、主配電盤の発電機盤（ＧＥＮ  ＰＡＮＥＬ）など他の場所に設置する。
【００１６】  新設専用母線から配線用遮断器（ＭＣＢ）を介して、新設装置およびバラストポンプ等へケーブル（ＣＡＢＬＥ）を敷設する。
【符号の説明】
【００１７】  図６：シンボルリストに示しているので、図６を御覧下さい。
【図１】
2012126374.tif 000003
【図２】
2012126374.tif 000004
【図３】
2012126374.tif 000005
【図４】
2012126374.tif 000006
【図５】
2012126374.tif 000007
【図６】
2012126374.tif 000008